(57)【特許請求の範囲】
【請求項１】
省電力モードで通電が停止されない第一コア、前記省電力モードで通電が停止される第二コア及びＲＡＭを含む集積回路と、
前記第一コアに供給される第一直流電圧を生成する第一電源回路と、
前記第二コアに供給される第二直流電圧を生成する第二電源回路と、
消費電流を大きくする所定の状況を示す状況情報を記憶する記憶部と、を備え、
前記第二コアの要求電圧は前記第一コアの要求電圧と等しく定められ、
前記第二コアは、自身の動作状況を示すイベントログを時刻と対応付けて前記ＲＡＭに時系列に記憶し、
前記集積回路は、
前記第二コアの動作状況が前記所定の状況であるか否かを判定する判定部と、
前記判定部によって前記第二コアの動作状況が前記所定の状況であると判定されると、前記第二電源回路から出力される第二直流電圧を検出する検出部と、
前記検出された前記第二直流電圧と前記第二コアの要求電圧との電圧差が、所定の規定電圧差以下となるように前記第二直流電圧を調整する電圧調整部とを備え、
前記判定部は、前記判定において、前記ＲＡＭに記憶されている各インベントログから把握した前記第二コアの動作状況が、前記状況情報が示す前記所定の状況に含まれているか否かを判定する
電圧調整装置。
【請求項２】
前記電圧調整部は、前記電圧差が前記規定電圧差以下になるまで、前記第二直流電圧を所定の調整率で調整することを定期的に繰り返す請求項１に記載の電圧調整装置。
【請求項３】
前記第二コアの要求電圧よりも前記規定電圧差だけ高い上限電圧値と前記検出された前記第二直流電圧との比較結果を前記電圧調整部へ出力する第一比較器と、
前記第二コアの要求電圧よりも前記規定電圧差だけ低い下限電圧値と前記検出された前記第二直流電圧との比較結果を前記電圧調整部へ出力する第二比較器とを更に備える請求項１又は２に記載の電圧調整装置。
【請求項４】
前記検出部は、前記第二電源回路よりも前記第二コアに近い位置で前記第二直流電圧を
検出する請求項１から３の何れか一項に記載の電圧調整装置。
【請求項５】
請求項１から４の何れか一項に記載された電圧調整装置を備える画像形成装置。
【発明の詳細な説明】
【技術分野】
【０００１】
本発明は、集積回路の電圧を調整する技術に関するものである。
【背景技術】
【０００２】
近年、常時通電されるコアと省エネモード時には通電が遮断されるコアとを備えるＳＯＣ（Ｓｙｓｔｅｍ−ｏｎ−ａ−ｃｈｉｐ）が知られている。これを実現するためには、各コアに対応するＤＣＤＣコンバーターを個別に設け、各コアに対して個別に直流電圧を供給する必要がある。この場合、ＳＯＣによっては、各コアの要求電圧を等しくし、且つ、各コアに供給される直流電圧の電圧差を所定の閾値以下にするという規定が課されることがある。
【０００３】
そこで、上記規定を満たすために、定期的に各ＤＣＤＣコンバーターの出力電圧を検出し、当該検出した各出力電圧の電圧差が所定の閾値以下となるように、各ＤＣＤＣコンバーターの出力電圧をフィードバック制御によって調整することがある。
【０００４】
例えば、特許文献１には、プリンタコントローラのプリント基板上のデバイスに供給される電源の電圧値を検出するＡＤコンバータ（電圧値検出部）と非常に高速で高性能なＣＰＵ（制御手段）とを備えるプリンタコントローラー装置が開示されている。そして、ＣＰＵがＡＤコンバータの検出結果に基づきトランジスタのオン／オフを制御することで、上記デバイスに供給される電源の電圧値を制御することが開示されている。
【先行技術文献】
【特許文献】
【０００５】
【特許文献１】特開２００２−２８３６６６号公報
【発明の概要】
【発明が解決しようとする課題】
【０００６】
しかしながら、ＳＯＣを配置する基板には多くのビアが配列されているので、各ＤＣＤＣコンバーターと各コアの電源端子とを接続する給電線は、ビアの隙間を通るように配線された後、電源端子に向けて折り曲げて配線される。このため、給電線を流れる電流量が大きくなると、インピーダンスの高い上記折り曲げ部分で所謂ＩＲドロップが発生し、コアに供給される直流電圧が大きく低下する虞がある。
【０００７】
したがって、特許文献１に開示のように、各ＤＣＤＣコンバーターの出力電圧を定期的に検出し、各出力電圧を一定にするフィードバック制御を行っている場合でも、一方のコアが他のコアよりも消費電流量の大きい動作を行う状況になると、上記ＩＲドロップの発生による電圧の低下量に大きな差異が生じ、各コアに供給される直流電圧の電圧差が所定の閾値以下にならなくなる虞があった。
【０００８】
本発明は、上記事情に鑑みてなされたものであり、集積回路に含まれる二つのコアの要求電圧を等しくし、且つ、各コアに供給される直流電圧の電圧差を所定の閾値以下にすることが規定されている場合に、当該規定に違反する虞を軽減することができる電圧調整装置及び画像形成装置を提供することを目的とする。
【課題を解決するための手段】
【０００９】
本発明による電圧調整装置は、省電力モードで通電が停止されない第一コア、前記省電力モードで通電が停止される第二コア及びＲＡＭを含む集積回路と、前記第一コアに供給される第一直流電圧を生成する第一電源回路と、前記第二コアに供給される第二直流電圧を生成する第二電源回路と、消費電流を大きくする所定の状況を示す状況情報を記憶する記憶部と、を備え、前記第二コアの要求電圧は前記第一コアの要求電圧と等しく定められ、前記第二コアは、自身の動作状況を示すイベントログを時刻と対応付けて前記ＲＡＭに時系列に記憶し、前記集積回路は、前記第二コアの動作状況が前記所定の状況であるか否かを判定する判定部と、前記判定部によって前記第二コアの動作状況が前記所定の状況であると判定されると、前記第二電源回路から出力される第二直流電圧を検出する検出部と、前記検出された前記第二直流電圧と前記第二コアの要求電圧との電圧差が、所定の規定電圧差以下となるように前記第二直流電圧を調整する電圧調整部とを備え、前記判定部は、前記判定において、前記ＲＡＭに記憶されている各インベントログから把握した前記第二コアの動作状況が、前記状況情報が示す前記所定の状況に含まれているか否かを判定する。
【００１０】
本構成によれば、第二コアの動作状況が消費電流を大きくする所定の状況である場合に、第二直流電圧と、第二コアの要求電圧と等しい第一コアの要求電圧と、の電圧差が規定電圧差以下になるように第二直流電圧が調整される。
【００１１】
このため、第二コアの動作状況が消費電流を大きくする所定の状況になり、第二コアに供給される第二直流電圧が低下した場合であっても、第二直流電圧と第一コアの要求電圧に近いと考えられる第一直流電圧との電圧差が、規定電圧差よりも大きくなる虞を低減することができる。
【００１２】
つまり、本構成によれば、第一コアと第二コアとの要求電圧を等しくし、且つ、第一直流電圧と第二直流電圧との電圧差を規定電圧差以下にすることが規定されている場合に、当該規定に違反する虞を軽減することができる。
また、本構成によれば、第二コアの動作状況が、記憶部に記憶されている状況情報が示す、消費電流を大きくする所定の状況に含まれているか否かによって、第二コアの動作状況が消費電流を大きくする所定の状況であるか否かを判定する。このため、消費電流量を計測し、当該計測した消費電流量や所定の閾値に基づいて第二コアの動作状況が消費電流を大きくする所定の状況であるか否かを判定するような煩雑な構成にしなくても、簡素な構成で当該判定を行うことができる。
【００１３】
また、電圧調整部は、前記電圧差が前記規定電圧差以下になるまで、前記第二直流電圧を所定の調整率で調整することを定期的に繰り返してもよい。
【００１４】
本構成によれば、第二直流電圧を所定の調整率で調整することが定期的に繰り返されるので、第二直流電圧を段階的に調整することができる。これにより、第二コアの動作中に、第二コアに供給される第二直流電圧が急激に変化することによって第二コアが誤動作する虞を低減することができる。
【００１７】
また、前記第二コアの要求電圧よりも前記規定電圧差だけ高い上限電圧値と前記検出された前記第二直流電圧との比較結果を前記電圧調整部へ出力する第一比較器と、前記第二コアの要求電圧よりも前記規定電圧差だけ低い下限電圧値と前記検出された前記第二直流電圧との比較結果を前記電圧調整部へ出力する第二比較器とを更に備えてもよい。
【００１８】
本構成によれば、第一比較器による比較結果が、第二直流電圧が上限電圧値以下であることを示し、且つ、第二比較器による比較結果が、第二直流電圧が下限電圧値以上であることを示す場合、第二直流電圧と第二コアの要求電圧との電圧差が規定電圧差以下になる。
【００１９】
このため、電圧調整部は、第二直流電圧を調整する場合に、第一比較器及び第二比較器から入力された比較結果に基づいて、第二直流電圧と第二コアの要求電圧との電圧差が規定電圧差以下であるか否かを迅速に判定することができる。
【００２０】
また、前記検出部は、前記第二電源回路よりも前記第二コアに近い位置で前記第二直流電圧を検出してもよい。
【００２１】
第二コアの動作状況が消費電流を大きくする状況になり、第二電源回路から第二コアへ第二直流電圧を送電する給電線においてＩＲドロップが生じたとする。この場合、第二コアに入力される直前の第二直流電圧は、第二電源回路から出力された直後の第二直流電圧よりも低くなる。
【００２２】
本構成によれば、第二コアに近い位置で第二直流電圧を検出するので、第二電源回路に近い位置で検出する第二直流電圧よりも、実際に第二コアに供給される第二直流電圧に近い電圧を検出することができる。このため、第二電源回路に近い位置で検出した第二直流電圧に基づいて第二直流電圧を調整する場合よりも、実際に第二コアに供給される第二直流電圧を精度良く調整することができる。
【発明の効果】
【００２３】
本発明によれば、集積回路に含まれる二つのコアの要求電圧を等しくし、且つ、各コアに供給される直流電圧の電圧差を所定の閾値以下にすることが規定されている場合に、当該規定に違反する虞を軽減することができる。
【図面の簡単な説明】
【００２４】
【図１】電気機器に搭載されるＳＯＣの概念図である。
【図２】電源回路Ａ１が供給する第一直流電圧と電源回路Ａ２が供給する第二直流電圧とのばらつきの一例を示した表である。
【図３】電源回路Ａ１とサブＣＰＵの電源端子とを接続する給電線及び電源回路Ａ２とメインＣＰＵの電源端子とを接続する給電線の配線の一例を示す図である。
【図４】電圧調整装置が搭載された画像形成装置の構成を示すブロック図である。
【図５】電圧調整装置の全体構成を示す図である。
【図６】電圧調整装置の動作を示すフローチャートである。
【図７】状況テーブルの一例を示す図である。
【図８】電圧比較器の詳細な回路構成を示す図である。
【図９】電圧比較器が出力する判定結果を示す図である。
【図１０】第一、第二電源回路とＳＯＣと電圧比較器との回路構成を示す図である。
【図１１】メインＣＰＵにおける消費電流とメインＣＰＵに供給される第二直流電圧との関係を示すグラフである。
【図１２】電圧比較器が備える第一、第二コンパレーターの出力信号と第一、第二直流電圧との波形図である。
【発明を実施するための形態】
【００２５】
（本発明の実施の形態に至る経緯）
近年、画像形成装置等の電気機器では、ＳＯＣが広く搭載されている。図１は、電気機器に搭載されるＳＯＣの概念図である。ＳＯＣはメインＣＰＵとサブＣＰＵとを備える。省電力モード時には消費電力を抑制するために、消費電流量の大きいメインＣＰＵは電力供給が停止され、サブＣＰＵのみ通電される。そして、省電力モード時において、サブＣＰＵはネットワークのパケット応答など、最低限の処理を行う。尚、通常モード時にはメインＣＰＵ及びサブＣＰＵ共、電力が供給される。
【００２６】
このように、ＳＯＣを用いて省電力モードを実現する場合、メインＣＰＵへの電力供給が停止されるので、メインＣＰＵの要求電圧とサブＣＰＵの要求電圧とを等しくし、メインＣＰＵ及びサブＣＰＵのそれぞれに対して同じ第一、第二直流電圧Ｖ１、Ｖ２を個別に供給する電源回路Ａ１、Ａ２を設ける必要がある。尚、電源回路Ａ１、Ａ２としては、ＤＣＤＣコンバーターが用いられる。
【００２７】
ここで、省電力モード時にメインＣＰＵへの第二直流電圧Ｖ２の供給を停止する電源回路Ａ２と、省電力モード時に第一直流電圧Ｖ１をサブＣＰＵへ供給する電源回路Ａ１とは個別に規定が設けられており、本来、電源回路Ａ１、Ａ２間で依存関係は無い。
【００２８】
図２は、電源回路Ａ１が供給する第一直流電圧Ｖ１と電源回路Ａ２が供給する第二直流電圧Ｖ２とのばらつきの一例を示した表である。図２に示すように、電源回路Ａ１、Ａ２は、サブＣＰＵ及びメインＣＰＵが要求する要求電圧「１．１Ｖ」を中心とするプラスマイナス「０．１Ｖ」の許容電圧範囲内でばらつく第一、第二直流電圧Ｖ１、Ｖ２を供給する。つまり、第一、第二直流電圧Ｖ１、Ｖ２は、最小電圧が「１．０Ｖ」、最大電圧が「１．２Ｖ」の範囲内でばらつくことが許容されている。
【００２９】
このように、各電源回路Ａ１、Ａ２が出力する第一、第二直流電圧Ｖ１、Ｖ２にばらつきがある場合に、製造者によって第一直流電圧Ｖ１と第二直流電圧Ｖ２との電圧差を所定の閾値（例えば、５０ｍＶ）以下にするという厳しい規定が要求されることがある。
【００３０】
図３は、電源回路Ａ１とサブＣＰＵの電源端子とを接続する給電線及び電源回路Ａ２とメインＣＰＵの電源端子とを接続する給電線の配線の一例を示す図である。図３に示すように、ＳＯＣを配置する基板には多くのビアが配列されているので、各電源回路Ａ１、Ａ２と各ＣＰＵの電源端子とを接続する給電線は、ビアの隙間を通るように配線された後、各ＣＰＵの電源端子に向けて折り曲げて配線される。このため、給電線を流れる電流量が大きくなると、インピーダンスの高い上記折り曲げ部分で所謂ＩＲドロップが発生し、各ＣＰＵに供給される第一、第二直流電圧Ｖ１、Ｖ２が大きく低下する虞がある。
【００３１】
したがって、メインＣＰＵがサブＣＰＵよりも消費電流量の大きい動作を行う状況になると、上記ＩＲドロップの発生による第一、第二直流電圧Ｖ１、Ｖ２の低下量に大きな差異が生じ、第一、第二直流電圧Ｖ１、Ｖ２の電圧差が所定の閾値以下にならなくなる虞がある。
【００３２】
そこで、本実施の形態では、メインＣＰＵの要求電圧とサブＣＰＵの要求電圧とを等しくし、且つ、各ＣＰＵに供給される第一、第二直流電圧Ｖ１、Ｖ２の電圧差を所定の閾値以下にすることが規定されている場合に、当該規定に違反する虞を軽減することができる電圧調整装置及びこれを備えた画像形成装置を提供する。
【００３３】
（実施の形態）
（画像形成装置の構成）
以下、本実施の形態に係る電圧調整装置及び画像形成装置について図面に基づいて説明する。図４は、電圧調整装置１０が搭載された画像形成装置５の構成を示すブロック図である。
【００３４】
画像形成装置５として、コピー、プリンター、スキャナー及びファクシミリの機能を有するデジタル複合機を例に説明する。画像形成装置５は、画像を印刷する機能を有する装置であればよく、デジタル複合機に限定されない。例えば、プリンターを画像形成装置５としてもよい。画像形成装置５は、印刷部１００、原稿読取部２００、原稿給送部３００、操作部４００、通信部６００、及び制御部５００を備える。
【００３５】
原稿給送部３００は、制御部５００による制御の下、原稿給送処理を行う。原稿給送部３００は、原稿給送処理において、原稿給送部３００に設けられた原稿載置部に１枚の原稿が置かれている場合、その原稿を原稿読取部２００に送り、原稿載置部に複数枚の原稿が置かれている場合、複数枚の原稿を連続的に原稿読取部２００に送る。
【００３６】
原稿読取部２００は、制御部５００による制御の下、画像読取処理を行う。原稿読取部２００は、画像読取処理において、原稿台に載置された原稿や、原稿給送部３００から給送された原稿を読み取り、その原稿の画像データを制御部５００へ出力する。
【００３７】
印刷部１００は、用紙貯留部１０１、画像形成部１０３、及び定着部１０５を備え、制御部５００による制御の下、用紙に画像を形成する印刷処理を行う。
【００３８】
用紙貯留部１０１は、用紙の束を貯留することができる。用紙貯留部１０１は、印刷処理において、この貯留された用紙の束のうち最上位の用紙をピックアップローラー（不図示）の駆動により、用紙搬送路（不図示）へ向けて送出する。当該用紙は用紙搬送路を通って、画像形成部１０３へ搬送される。
【００３９】
画像形成部１０３は、感光体ドラム、露光部、現像装置、及び転写部を備える。画像形成部１０３は、印刷処理において、用紙搬送路を通って搬送されてきた用紙に、制御部５００から入力された画像データが示す画像のトナー像を形成する。
【００４０】
定着部１０５は、加熱ローラー及び加圧ローラーを備える。定着部１０５は、印刷処理において、トナー像が形成された用紙を加熱及び加圧することにより、トナー像を用紙に定着させる。
【００４１】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００４２】
操作キー部４０１には、ハードキーからなる操作キーが設けられている。操作キーは、例えば、スタートキー、テンキー、リセットキー、コピー、プリンター、スキャナー及びファクシミリを切り換えるための機能切換キーである。
【００４３】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Ｎｅｔｗｏｒｋ  Ｃｏｎｔｒｏｌ  Ｕｎｉｔ）及びファクシミリ通信用の信号を変復調する変復調回路を備える。ファクシミリ通信部６０１は、電話回線６０５に接続される。
【００４４】
ネットワークＩ／Ｆ部６０３は、ＬＡＮ（Ｌｏｃａｌ  Ａｒｅａ  Ｎｅｔｗｏｒｋ）６０７に接続される。ネットワークＩ／Ｆ部６０３は、ＬＡＮ６０７に接続されたパソコンとの間で通信を実行するための通信インターフェイス回路である。
【００４５】
制御部５００は、画像形成装置５の全体制御を司る。また、制御部５００は、後述の電圧調整装置１０を備える。
【００４６】
（電圧調整装置の構成）
図５は、電圧調整装置１０の全体構成を示す図である。電圧調整装置１０は、第一電源回路１１、第二電源回路１２、ＳＯＣ１３（Ｓｙｓｔｅｍ−ｏｎ−ａ−ｃｈｉｐ：集積回路）、メモリー１４（記憶部）、及び電圧比較器１５を備えている。
【００４７】
第一電源回路１１は、例えばＤＣＤＣコンバーターで構成され、ＳＯＣ１３から出力される第一設定値Ｓ１に応じた電圧値を持つ第一直流電圧Ｖ１を生成し、サブＣＰＵ３１に供給する。第二電源回路１２は、例えばＤＣＤＣコンバーターで構成され、ＳＯＣ１３から出力される第二設定値Ｓ２に応じた電圧値を持つ第二直流電圧Ｖ２を生成し、メインＣＰＵ３２に供給する。
【００４８】
ＳＯＣ１３は、サブＣＰＵ３１（第一コア）、メインＣＰＵ３２（第二コア）、インターフェイス３３（以下、「Ｉ／Ｆ３３」と記述する。）、判定部３４、検出部３５、及び電圧調整部３６を備える。
【００４９】
サブＣＰＵ３１は、画像形成装置５が省電力モード及び通常モードに設定されているか否かに拘わらず、第一直流電圧Ｖ１が常時供給され、常時動作する。省電力モードは画像形成装置５を構成する電気部品のうち一部の電気部品への電力供給が停止されるモードである。通常モードは画像形成装置５を構成する全ての電気部品に電力が供給されるモードである。
【００５０】
ここで、サブＣＰＵ３１は、主に省電力モードにおいて動作し、通信部６００を制御して、画像形成装置５の外部から送信されるパケットを受信し、そのパケットに対して応答するといった処理等を行う。また、サブＣＰＵ３１は、画像形成装置５を省電力モード又は通常モードで動作させるか否かを管理する。
【００５１】
例えば、通常モードにおいて、一定期間、ユーザからの入力を受け付けなければ、サブＣＰＵ３１は画像形成装置５を省電力モードに設定する。一方、省電力モードにおいて、ユーザから印刷指示の入力を受け付けると、サブＣＰＵ３１は画像形成装置５を通常モードに設定する。
【００５２】
メインＣＰＵ３２は、画像形成装置５が省電力モードに設定された場合、サブＣＰＵ３１の制御の下、第二電源回路１２からの第二直流電圧Ｖ２の供給が停止され、スリープ状態になる。また、メインＣＰＵ３２は、画像形成装置５が通常モードに設定された場合は、サブＣＰＵ３１の制御の下、第二電源回路１２から第二直流電圧Ｖ２が供給される。ここで、メインＣＰＵ３２は、例えば、通常モードにおいて画像形成装置５を構成する各部を制御し、各種処理（原稿給送処理、画像読取処理、印刷処理等）を実行させる。
【００５３】
このように、ＳＯＣ１３を用いて省電力モードを実現する場合、メインＣＰＵ３２への電力供給が停止されるので、メインＣＰＵ３２が要求する要求電圧とサブＣＰＵ３１が要求する要求電圧は等しく定められ、サブＣＰＵ３１及びメインＣＰＵ３２のそれぞれに対して同じ第一、第二直流電圧Ｖ１、Ｖ２を個別に供給する第一、第二電源回路１１、１２が設けられている。
【００５４】
Ｉ／Ｆ３３は、例えば、Ｉ２Ｃインターフェースで構成され、ＳＯＣ１３の制御の下、第一設定値Ｓ１を第一電源回路１１に送信し、第二設定値Ｓ２を第二電源回路１２に送信する。ここで、第一、第二設定値Ｓ１、Ｓ２の送受信の制御はサブＣＰＵ３１が行ってもよいし、メインＣＰＵ３２が行ってもよい。
【００５５】
判定部３４は、例えば、メインＣＰＵ３２及びサブＣＰＵ３１とは別のＣＰＵで構成され、メインＣＰＵ３２の動作状況が消費電流を大きくする所定の状況であるか否かを判定する。尚、判定部３４は、メインＣＰＵ３２又はサブＣＰＵ３１が行う処理の一部として構成してもよい。
【００５６】
検出部３５は、例えば電圧センサで構成され、判定部３４によってメインＣＰＵ３２の動作状況が消費電流を大きくする所定の状況であると判定されると、第二電源回路１２よりもメインＣＰＵ３２に近い位置で、第二直流電圧Ｖ２を検出する。具体的には、検出部３５は、第二直流電圧Ｖ２の給電線におけるメインＣＰＵ３２の電源端子用ビア（図３参照）の近傍の位置（図５の実線楕円部）に接続され、当該位置における第二直流電圧Ｖ２を検出する。
【００５７】
電圧調整部３６は、例えば、メインＣＰＵ３２及びサブＣＰＵ３１とは別のＣＰＵで構成され、検出部３５で検出された第二直流電圧Ｖ２とメインＣＰＵ３２の要求電圧との電圧差が所定の規定電圧差以下となるように、第二直流電圧Ｖ２を調整する。尚、電圧調整部３６は、メインＣＰＵ３２又はサブＣＰＵ３１が行う処理の一部として構成してもよい。
【００５８】
メモリー１４は、例えば、書き換え可能な不揮発性の記憶装置で構成されている。メモリー１４には、デフォルトの第一、第二設定値Ｓ１、Ｓ２が記憶されている。デフォルトの第一、第二設定値Ｓ１、Ｓ２は、サブ、メインＣＰＵ３１、３２の要求電圧に応じた値に定められている。メインＣＰＵ３２の要求電圧とサブＣＰＵ３１の要求電圧とは等しく定められているので、デフォルトの第一、第二設定値Ｓ１、Ｓ２は同じ値となっている。
【００５９】
メモリー１４に記憶されているデフォルトの第一、第二設定値Ｓ１、Ｓ２は、電圧調整装置１０の起動時に、ＳＯＣ１３を介して第一、第二電源回路１１、１２に読み出される。これにより、第一、第二電源回路１１、１２は、デフォルトの第一、第二設定値Ｓ１、Ｓ２にしたがって、サブ、メインＣＰＵ３１、３２の要求電圧と同じ第一、第二直流電圧Ｖ１、Ｖ２を生成する。
【００６０】
電圧比較器１５は、検出部３５による第二直流電圧Ｖ２の検出位置（図５の実線楕円部）に接続されている。電圧比較器１５は、当該検出位置における第二直流電圧Ｖ２とメインＣＰＵ３２の要求電圧との電圧差が上記規定電圧差以下であるか否かの判定結果を電圧調整部３６へ出力する。つまり、電圧比較器１５は、検出部３５により検出された第二直流電圧Ｖ２とメインＣＰＵ３２の要求電圧との電圧差が、上記規定電圧差以下であるか否かの判定結果を電圧調整部３６へ出力する。
【００６１】
（電圧調整装置の動作）
図６は、電圧調整装置１０の動作を示すフローチャートである。尚、本フローチャートが開始される際には、上述のように、第一、第二電源回路１１、１２はメモリー１４に記憶されているデフォルトの第一、第二設定値Ｓ１、Ｓ２にしたがって、サブＣＰＵ３１、メインＣＰＵ３２の要求電圧と同じ第一、第二直流電圧Ｖ１、Ｖ２を生成し、サブＣＰＵ３１、メインＣＰＵ３２に供給しているものとする。また、画像形成装置５は通常モードに設定されており、メインＣＰＵ３２は、画像形成装置５を構成する各部を制御し、各種処理を実行しているものとする。
【００６２】
まず、判定部３４は、メインＣＰＵ３２の動作状況が消費電流を大きくする所定の状況であるか否かを判定する（Ｓ１１）。判定部３４は、メインＣＰＵ３２の動作状況が消費電流を大きくする所定の状況であると判定した場合（Ｓ１１でＹＥＳ）、処理をＳ１２に進める。一方、判定部３４は、メインＣＰＵ３２の動作状況が消費電流を大きくする所定の状況ではないと判定した場合（Ｓ１１でＮＯ）、処理をＳ１１に戻す。
【００６３】
Ｓ１２では、検出部３５は、第二直流電圧Ｖ２を検出する（Ｓ１２）。
【００６４】
次に、Ｓ１３では、電圧比較器１５は、Ｓ１２で検出された第二直流電圧Ｖ２とメインＣＰＵ３２の要求電圧との電圧差が規定電圧差以下であるか否かの判定結果を電圧調整部３６へ出力する。電圧調整部３６は、入力された判定結果が電圧差が規定電圧差以下であることを示す場合（Ｓ１３でＹＥＳ）、処理をＳ１１に戻す。一方、電圧調整部３６は、入力された判定結果が、電圧差が規定電圧差よりも大きいことを示す場合（Ｓ１３でＮＯ）、処理をＳ１４に進める。
【００６５】
Ｓ１４で終了条件が満たされていなければ（Ｓ１４でＮＯ）、電圧調整部３６は、第二直流電圧Ｖ２を調整し（Ｓ１５）、処理をＳ１１に戻す。一方、終了条件を満たしていれば（Ｓ１４でＹＥＳ）、処理は終了する。ここで、終了条件としては、例えば、Ｓ１５における第二直流電圧Ｖ２の調整回数が所定の上限値に到達した場合が該当する。この場合、電圧差を規定電圧差以下にすることができなかったとされて処理が終了される。
【００６６】
（判定部３４による判定の詳細）
以下、判定部３４によるＳ１１の判定について詳細に説明する。メインＣＰＵ３２は、自身の動作状況を示す所謂イベントログを、時刻と対応付けてＳＯＣ１３内の不図示のＲＡＭ等に時系列に記憶する。
【００６７】
例えば、メインＣＰＵ３２は、印刷部１００に印刷処理を実行させる動作を行う場合、印刷処理の開始、印刷部１００への画像データの出力、印刷済用紙の出力、及び印刷処理の終了等の各動作状況を示すイベントログを時刻と対応付けて時系列に記憶する。尚、印刷部１００への画像データの出力を示すイベントログには、画像データのデータ量を示す情報が含まれる。印刷済用紙の出力を示すイベントログには、印刷済用紙の出力枚数を示す情報が含まれる。
【００６８】
また、メモリー１４には、消費電流を大きくする状況を示す状況テーブルＳＴ（状況情報）が予め記憶されている。図７は、状況テーブルＳＴの一例を示す図である。図７の状況テーブルＳＴでは、メインＣＰＵ３２が印刷部１００に行わせている印刷処理の所要時間が１０分以上である状況ＳＴ１と、印刷処理に用いる画像データのデータ量が１０Ｍ以上である状況ＳＴ２と、所定枚数以下の用紙を出力する印刷処理を連続して１０回以上行わせている状況ＳＴ３と、が消費電流を大きくする状況として定められている。
【００６９】
そこで、判定部３４は、Ｓ１１の判定において、上記ＲＡＭ等に記憶されている各イベントログに基づいて把握したメインＣＰＵ３２の動作状況が、状況テーブルＳＴが示す各状況に含まれているか否かを判定する。
【００７０】
例えば、判定部３４は、直近の印刷処理の開始を示すイベントログに対応付けられている時刻からの経過時間を算出する。これにより、判定部３４は、メインＣＰＵ３２が実行させた印刷処理の所要時間を把握する。そして、判定部３４は、当該把握した印刷処理の所要時間が１０分以上であれば、メインＣＰＵ３２の動作状況が状況テーブルＳＴが示す上記状況ＳＴ１に含まれていると判定する。
【００７１】
また、判定部３４は、直近の印刷部１００への画像データの出力を示すイベントログを参照する。そして、判定部３４は、当該参照したイベントログに含まれる画像データのデータ量を示す情報から、メインＣＰＵ３２が実行させた印刷処理に用いる画像データのデータ量を把握する。そして、判定部３４は、当該把握した画像データのデータ量が１０Ｍ以上であれば、メインＣＰＵ３２の動作状況が状況テーブルＳＴが示す上記状況ＳＴ２に含まれていると判定する。
【００７２】
また、判定部３４は、直近の印刷済用紙の出力を示すイベントログから遡って、順次印刷済用紙の出力を示すイベントログを参照する。そして、判定部３４は、当該参照した各イベントログに含まれる印刷済用紙の出力枚数を示す情報から、メインＣＰＵ３２が所定枚数以下の印刷処理を連続して何回行わせているかを把握する。尚、所定枚数は、印刷処理において電流量を大きくしなくても出力可能と考えられる用紙枚数（例えば２、３枚）に定められている。そして、判定部３４は、当該把握した所定枚数以下の印刷処理を連続して行わせている回数が１０回以上であれば、メインＣＰＵ３２の動作状況が状況テーブルＳＴが示す上記状況ＳＴ３に含まれていると判定する。
【００７３】
尚、判定部３４は、上記とは別の方法で、メインＣＰＵ３２の動作状況を把握し、当該把握したメインＣＰＵ３２の動作状況が状況テーブルＳＴが示す各状況に含まれているか否かを判定するようにしてもよい。
【００７４】
（電圧比較器１５による判定の詳細）
以下、電圧比較器１５によるＳ１３における判定について詳細に説明する。図８は、電圧比較器１５の詳細な回路構成を示す図である。電圧比較器１５は、第一コンパレーター５１（第一比較器）と、第二コンパレーター５２（第二比較器）と、を備えている。
【００７５】
第一コンパレーター５１の非反転入力端子（＋端子）は、検出部３５による第二直流電圧Ｖ２の検出位置に接続されている。つまり、第一コンパレーター５１の非反転入力端子には、Ｓ１２で検出された第二直流電圧Ｖ２と同じ第二直流電圧Ｖ２が入力される。第一コンパレーター５１の反転入力端子（−端子）には、メインＣＰＵ３２の要求電圧よりも規定電圧差だけ高い上限電圧値の直流電圧ＶＵ（以下、上限電圧ＶＵと記載する）が入力される。
【００７６】
一方、第二コンパレーター５２の非反転入力端子（＋端子）には、メインＣＰＵ３２の要求電圧よりも規定電圧差だけ低い下限電圧値の直流電圧ＶＬ（以下、下限電圧ＶＬと記載する）が入力される。第二コンパレーター５２の反転入力端子（−端子）は、検出部３５による第二直流電圧Ｖ２の検出位置に接続されている。つまり、第二コンパレーター５２の反転入力端子には、Ｓ１２で検出された第二直流電圧Ｖ２と同じ第二直流電圧Ｖ２が入力される。
【００７７】
尚、本実施の形態では、ＳＯＣ１３の規定により、サブＣＰＵ３１及びメインＣＰＵ３２が要求する要求電圧は、共に１．１Ｖに定められているとする。更に、第一直流電圧Ｖ１と第二直流電圧Ｖ２との電圧差を５０ｍＶ以内にすることも規定されているとする。
【００７８】
この場合、規定電圧差は、第一直流電圧Ｖ１と第二直流電圧Ｖ２との電圧差の上限値として規定されている５０ｍＶに定められる。これに合わせて、上限電圧ＶＵは、電圧値がメインＣＰＵ３２の要求電圧「１．１Ｖ」よりも規定電圧差「５０ｍＶ」だけ高い上限電圧値「１．１５Ｖ」となるように設定される。下限電圧ＶＬは、電圧値がメインＣＰＵ３２の要求電圧「１．１Ｖ」よりも規定電圧差「５０ｍＶ」だけ低い下限電圧値「１．０５Ｖ」となるように設定される。
【００７９】
ここで、例えば、Ｓ１２で検出された第二直流電圧Ｖ２が上限電圧ＶＵ「１．１５Ｖ」よりも高い「１．２Ｖ」であったとする。この場合（Ｖ２＞ＶＵ）、当該第二直流電圧Ｖ２「１．２Ｖ」とメインＣＰＵ３２の要求電圧「１．１Ｖ」との電圧差「０．１Ｖ」は、規定電圧差「５０ｍＶ」よりも大きい。
【００８０】
図９は、電圧比較器１５が出力する判定結果を示す図である。この場合（Ｖ２＞ＶＵ）、第一コンパレーター５１は、非反転入力端子に入力された第二直流電圧Ｖ２「１．２Ｖ」が、反転入力端子に入力された上限電圧ＶＵ「１．１５Ｖ」よりも高いので、ハイ（Ｈ）レベルの出力信号Ｏ１（比較結果）を電圧調整部３６へ出力する。一方、第二コンパレーター５２は、非反転入力端子に入力された下限電圧ＶＬ「１．０５Ｖ」が、反転入力端子に入力された第二直流電圧Ｖ２「１．２Ｖ」よりも低いので、ロー（Ｌ）レベルの出力信号Ｏ２（比較結果）を電圧調整部３６へ出力する。
【００８１】
一方、Ｓ１２で検出された第二直流電圧Ｖ２が下限電圧ＶＬ「１．０５Ｖ」以下の「１．０Ｖ」であったとする。この場合（ＶＬ≧Ｖ２）も、当該第二直流電圧Ｖ２「１．０Ｖ」とメインＣＰＵ３２の要求電圧「１．１Ｖ」との電圧差「０．１Ｖ」は、規定電圧差「５０ｍＶ」よりも大きい。この場合（ＶＬ≧Ｖ２）、第一コンパレーター５１は、ローレベルの出力信号Ｏ１を出力し、第二コンパレーター５２は、ハイレベルの信号Ｏ２を出力する。
【００８２】
このように、電圧比較器１５は、Ｓ１３において、第一、第二コンパレーター５１、５２の何れかによって、ハイレベルの出力信号Ｏ１、Ｏ２を出力することにより、Ｓ１２で検出された第二直流電圧Ｖ２とメインＣＰＵ３２の要求電圧との電圧差が規定電圧差より大きいことを示す判定結果を出力する。
【００８３】
一方、Ｓ２で検出された第二直流電圧Ｖ２が下限電圧ＶＬ「１．０５Ｖ」より高く、上限電圧ＶＵ「１．１５Ｖ」以下の「１．１２Ｖ」であったとする。この場合（ＶＵ≧Ｖ２＞ＶＬ）、第二直流電圧Ｖ２「１．１２Ｖ」とメインＣＰＵ３２の要求電圧「１．１Ｖ」との電圧差「０．０２Ｖ」は、規定電圧差「５０ｍＶ」以下である。この場合（ＶＵ≧Ｖ２＞ＶＬ）、第一コンパレーター５１は、ローレベルの出力信号Ｏ１を出力し、第二コンパレーター５２も、ローレベルの信号Ｏ２を出力する。
【００８４】
このように、電圧比較器１５は、第一、第二コンパレーター５１、５２によって、共にローレベルの出力信号Ｏ１、Ｏ２を出力することにより、Ｓ１２で検出されたＳ１２で検出された第二直流電圧Ｖ２とメインＣＰＵ３２の要求電圧との電圧差が規定電圧差以下であることを示す判定結果を出力する。
【００８５】
（調整の詳細）
以下、電圧調整部３６によるＳ１５の調整について詳細に説明する。図１０は、第一、第二電源回路１１、１２とＳＯＣ１３と電圧比較器１５との回路構成を示す図である。
【００８６】
第一電源回路１１は、コンパレーターＣ１を備える。コンパレーターＣ１の一方の入力端子ＦＢには、分圧抵抗Ｒ１、Ｒ２により分圧された第一直流電圧Ｖ１が入力される。これにより、第一直流電圧Ｖ１がフィードバックされる。コンパレーターＣ１の他方の入力端子Ｒｅｆには、ＳＯＣ１３内のＩ２ＣのＩ／Ｆ１３３を介してデフォルトの第一設定値Ｓ１が入力される。つまり、第一設定値Ｓ１は、コンパレーターＣ１の入力端子Ｒｅｆの基準電圧Ｖｒｅｆを設定する。
【００８７】
第一電源回路１１は、コンパレーターＣ１による基準電圧Ｖｒｅｆとフィードバックされた第一直流電圧Ｖ１との比較結果に基づいて、出力する第一直流電圧Ｖ１の電圧値を、「（ｒ１＋ｒ２）／ｒ２×Ｓ１（ｒ１、ｒ２は、分圧抵抗Ｒ１、Ｒ２の抵抗値）」に安定させる。
【００８８】
第二電源回路１２は、コンパレーターＣ２を備える。コンパレーターＣ２の一方の入力端子ＦＢには、分圧抵抗Ｒ１、Ｒ２により分圧された第二直流電圧Ｖ２が入力される。これにより、第二直流電圧Ｖ２がフィードバックされる。コンパレーターＣ２の他方の入力端子Ｒｅｆには、ＳＯＣ１３内のＩ２ＣのＩ／Ｆ１３３を介してデフォルトの第二設定値Ｓ２が入力される。また、コンパレーターＣ２の他方の入力端子Ｒｅｆには、電圧調整部３６によってＳ１５において調整された後の第二設定値Ｓ２も入力される。つまり、第二設定値Ｓ２は、コンパレーターＣ２の入力端子Ｒｅｆの基準電圧Ｖｒｅｆを設定する。
【００８９】
第二電源回路１２は、コンパレーターＣ２による基準電圧Ｖｒｅｆとフィードバックされた第二直流電圧Ｖ２との比較結果に基づいて、出力する第二直流電圧Ｖ２の電圧値を、「（ｒ１＋ｒ２）／ｒ２×Ｓ２（ｒ１、ｒ２は、分圧抵抗Ｒ１、Ｒ２の抵抗値）」に安定させる。
【００９０】
ＳＯＣ１３内の電圧調整部３６は、Ｓ１５において、電圧比較器１５から入力される判定結果が、電圧差が規定電圧差以下であることを示すようになるまで、第二直流電圧Ｖ２を所定の調整率で調整する微調整処理を、定期的に繰り返す。つまり、電圧調整部３６は、Ｓ１５において、電圧比較器１５の出力信号Ｏ１、Ｏ２が共にローレベル（図９）を示すようになるまで、微調整処理を定期的に繰り返す。
【００９１】
具体的には、電圧調整部３６は、微調整処理において、第二設定値Ｓ２を所定の調整率で調整し、調整後の第二設定値Ｓ２をＩ／Ｆ１３３を介してコンパレーターＣ２の入力端子Ｒｅｆに入力する。これにより、第二電源回路１２は、出力する第二直流電圧Ｖ２の電圧値を、「（ｒ１＋ｒ２）／ｒ２×調整後のＳ２」に安定させる。このようにして、電圧調整部３６は、微調整処理において、第二設定値Ｓ２を所定の調整率で調整することにより、第二直流電圧Ｖ２を所定の調整率で調整する。
【００９２】
（電圧調整装置の動作の具体例）
以下、電圧調整装置１０の動作の具体例について説明する。本具体例では、Ｓ１５において電圧調整部３６が用いる調整率は「０．１％」に定められているものとする。また、電圧調整部３６は、Ｓ１５において「１分毎に」（定期的に）微調整処理を繰り返すものとする。
【００９３】
図１１は、メインＣＰＵ３２における消費電流とメインＣＰＵ３２に供給される第二直流電圧Ｖ２との関係を示すグラフである。図１１の上部のグラフに示すように、電圧調整装置１０の起動後、メインＣＰＵ３２が、暫く待機した後に、一度印刷処理を実行したとする。その後、メインＣＰＵ３２が、暫く待機した後、所要時間が１０分以上の印刷処理を印刷部１００に行わせたとする。
【００９４】
この場合、メインＣＰＵ３２の消費電流量は、印刷処理の処理時間が経過するほど大きくなる。これにより、上述のＩＲドロップが発生し、図１１の下部のグラフに示すように、メインＣＰＵ３２に供給される第二直流電圧Ｖ２も、印刷処理の処理時間が経過するほど低下するようになる。
【００９５】
しかし、当該印刷処理を開始した時刻ｔ０から１０分が経過した時刻ｔ１になると、判定部３４は、Ｓ１１（図６）において、メインＣＰＵ３２の動作状況が状況テーブルＳＴが示す上記状況ＳＴ１（図７）に含まれていると判定し（Ｓ１１でＹＥＳ）、処理をＳ１２に進める。そして、Ｓ１２で検出された第二直流電圧Ｖ２が下限電圧ＶＬ「１．０５Ｖ」よりも小さい「１．０４８Ｖ」であったとする。
【００９６】
図１２は、電圧比較器１５が備える第一、第二コンパレーター５１、５２の出力信号Ｏ１、Ｏ２と第一、第二直流電圧Ｖ１、Ｖ２との波形図である。この場合（ＶＬ≧Ｖ２）、Ｓ１３において、第一、第二コンパレーター５１、５２は、ローレベルの出力信号Ｏ１、ハイレベルの出力信号Ｏ２を出力する（図９、図１２の時刻ｔ１）。つまり、電圧比較器１５は、Ｓ１３において、電圧差が規定電圧差より大きいことを示す判定結果を電圧調整部３６に出力する（Ｓ１３でＮＯ）。
【００９７】
この場合、電圧調整部３６は、処理をＳ１４に進め、一度もＳ１５を行っていないので終了条件を満たさないと判定し（Ｓ１４でＮＯ）、処理をＳ１５に進める。そして、電圧調整部３６は、Ｓ１５において、第一、第二コンパレーター５１、５２の出力信号Ｏ１、Ｏ２が共にローレベルになるまで、微調整処理を１分毎に繰り返す（図１２の時刻ｔ１、ｔ２、ｔ３）。
【００９８】
尚、時刻ｔ１、ｔ２、ｔ３では、出力信号Ｏ２がハイレベルであり、図９に示すように、第二直流電圧Ｖ２が下限電圧ＶＬよりも小さい（ＶＬ≧Ｖ２）ことを示している。このため、時刻ｔ１、ｔ２、ｔ３における各微調整処理において、電圧調整部３６は、第二設定値Ｓ２を所定の調整率「０．１％」だけ増大する調整（Ｓ２を１．００１倍にする調整）を行う。
【００９９】
本具体例では、時刻ｔ１、ｔ２、ｔ３において、第二直流電圧Ｖ２が「１．０４９（≒１．０４８×１．０１）」、「１．０５０（≒１．０４８×１．０１の２乗）」、「１．０５１（≒１．０４８×１．０１の３乗）」と段階的に上昇する。
【０１００】
そして、時刻ｔ４において、第二直流電圧Ｖ２が下限電圧ＶＬよりも大きくなり、第二直流電圧Ｖ２とメインＣＰＵ３２の要求電圧との電圧差が規定電圧差以下になったとする。このとき、第一、第二コンパレーター５１、５２の出力信号Ｏ１、Ｏ２は共にローレベルとなる。
【０１０１】
時刻ｔ４において、第一、第二コンパレーター５１、５２の出力信号Ｏ１、Ｏ２が共にローレベルになると、電圧調整部３６はＳ１５を終了し、処理をＳ１１に戻す。
【０１０２】
その後、時刻ｔ５において、メインＣＰＵ３２が、例えば、データ量が１５Ｍの画像データを用いた印刷処理を印刷部１００に行わせたとする。そして、判定部３４が、メインＣＰＵ３２の動作状況が状況テーブルＳＴが示す上記状況ＳＴ２（図７）に含まれていると判定し（Ｓ１１でＹＥＳ）、処理をＳ１２に進めたとする。
【０１０３】
この場合、時刻ｔ１、ｔ２、ｔ３において微調整処理が行われたので、Ｓ１２で検出された第二直流電圧Ｖ２は「１．０５１Ｖ」となっており、下限電圧ＶＬ「１．０５Ｖ」よりも大きく、上限電圧ＶＵ「１．１５Ｖ」以下となっている。
【０１０４】
このため、電圧比較器１５は、Ｓ１３において、第一、第二コンパレーター５１、５２によって共にローレベルの出力信号Ｏ１、Ｏ２を出力する（図９、図１２の時刻ｔ５）。この場合、電圧調整部３６は、出力信号Ｏ１、Ｏ２が共にローレベルを示し、電圧差が規定電圧差以下であることを示しているので、処理をＳ１１に戻す。
【０１０５】
（実施の形態のまとめ）
（１）電圧調整装置１０は、メインＣＰＵ３２の動作状況が消費電流を大きくする所定の状況である場合に、第二直流電圧Ｖ２と、メインＣＰＵ３２の要求電圧と等しいサブＣＰＵ３１の要求電圧と、の電圧差が規定電圧差以下になるように第二直流電圧Ｖ２を調整する。
【０１０６】
このため、メインＣＰＵ３２の動作状況が消費電流を大きくする所定の状況になり、メインＣＰＵ３２に供給される第二直流電圧Ｖ２が低下した場合であっても、第二直流電圧Ｖ２とサブＣＰＵ３１の要求電圧に近いと考えられる第一直流電圧Ｖ１との電圧差が、規定電圧差よりも大きくなる虞を低減することができる。
【０１０７】
つまり、メインＣＰＵ３２とサブＣＰＵ３１との要求電圧を等しくし、且つ、第一直流電圧Ｖ１と第二直流電圧Ｖ２との電圧差を規定電圧差以下にすることが規定されている場合に、当該規定に違反する虞を軽減することができる。
【０１０８】
（２）電圧調整装置１０は、第二直流電圧Ｖ２を所定の調整率で調整することを定期的に繰り返すので、第二直流電圧Ｖ２を段階的に調整することができる。これにより、メインＣＰＵ３２の動作中に、メインＣＰＵ３２に供給される第二直流電圧Ｖ２が急激に変化することによってメインＣＰＵ３２が誤動作する虞を低減することができる。
【０１０９】
（３）電圧調整装置１０は、メインＣＰＵ３２の動作状況が、メモリー１４に記憶されている状況テーブルＳＴが示す、消費電流を大きくする所定の状況ＳＴ１〜ＳＴ３に含まれているか否かによって、メインＣＰＵ３２の動作状況が消費電流を大きくする所定の状況であるか否かを判定する。このため、消費電流量を計測し、当該計測した消費電流量や所定の閾値に基づいてメインＣＰＵ３２の動作状況が消費電流を大きくする状況であるか否かを判定するような煩雑な構成にしなくても、簡素な構成で当該判定を行うことができる。
【０１１０】
（４）第一コンパレーター５１が出力する出力信号Ｏ１が、第二直流電圧Ｖ２が上限電圧ＶＵ以下であること（ローレベル）を示し、且つ、第二コンパレーター５２が出力する出力信号Ｏ２が、第二直流電圧Ｖ２が下限電圧ＬＵ以上であること（ローレベル）を示す場合、第二直流電圧Ｖ２とメインＣＰＵ３２の要求電圧との電圧差が規定電圧差以下になる。
【０１１１】
このため、電圧調整部３６は、第二直流電圧Ｖ２を調整する場合に、第一コンパレーター５１及び第二コンパレーター５２から入力された出力信号Ｏ１、Ｏ２に基づいて、第二直流電圧Ｖ２とメインＣＰＵ３２の要求電圧との電圧差が規定電圧差以下であるか否かを迅速に判定することができる。
【０１１２】
（５）メインＣＰＵ３２の動作状況が消費電流を大きくする状況になり、第二電源回路１２からメインＣＰＵ３２へ第二直流電圧Ｖ２を送電する給電線においてＩＲドロップが生じたとする。この場合、メインＣＰＵ３２に入力される直前の第二直流電圧Ｖ２は、第二電源回路１２から出力された直後の第二直流電圧Ｖ２よりも低くなる。
【０１１３】
電圧調整装置１０では、メインＣＰＵ３２に近い位置で第二直流電圧Ｖ２を検出するので、第二電源回路１２に近い位置で検出する第二直流電圧Ｖ２よりも、実際にメインＣＰＵ３２に供給される第二直流電圧Ｖ２に近い電圧を検出することができる。このため、第二電源回路１２に近い位置で検出した第二直流電圧Ｖ２に基づいて第二直流電圧Ｖ２を調整する場合よりも、実際にメインＣＰＵ３２に供給される第二直流電圧Ｖ２を精度良く調整することができる。
【０１１４】
（変形例）
尚、上記実施の形態は、本発明に係る実施の形態の例示に過ぎず、本発明を上記実施の形態に限定する趣旨ではない。例えば、以下に示す、変形実施形態であってもよい。
【０１１５】
（１）配線の都合等に合わせて、検出部３５がメインＣＰＵ３２よりも第二電源回路１２に近い位置で第二直流電圧Ｖ２を検出するようにしてもよい。
【０１１６】
（２）電圧比較器１５を備えないようにし、電圧調整部３６が、Ｓ１３において、Ｓ１２で検出された第二直流電圧Ｖ２とメインＣＰＵ３２の要求電圧との電圧差を算出して、当該算出した電圧差が規定電圧差以下であるか否かを判定するようにしてもよい。
【０１１７】
（３）メモリー１４に状況テーブルＳＴを記憶しないようにしてもよい。これに合わせて、メインＣＰＵ３２が、消費電流を大きくする所定の動作を行う場合に、当該動作を行うことを示す信号を判定部３４へ出力するようにしてもよい。そして、判定部３４は、当該信号が入力された場合に、メインＣＰＵ３２の動作状況が消費電流を大きくする所定の状況になったと判定するようにしてもよい。
【０１１８】
又は、メモリー１４に状況テーブルＳＴを記憶しないようにし、メインＣＰＵ３２における消費電流量を計測する計測回路を設けてもよい。そして、判定部３４は、当該計測回路により計測された消費電流量が、所定の閾値を超えた場合に、メインＣＰＵ３２の動作状況が消費電流を大きくする所定の状況になったと判定するようにしてもよい。
【０１１９】
（４）Ｓ１５において、電圧調整部３６が、微調整処理を定期的に繰り返すことに代えて、Ｓ１２において検出部３５により検出された第二直流電圧Ｖ２とメインＣＰＵ３２との電圧差が規定電圧差以下となるように、第二直流電圧Ｖ２を一度だけ調整するようにしてもよい。
【符号の説明】
【０１２０】
５  画像形成装置
１０  電圧調整装置
１１  第一電源回路
１２  第二電源回路
１３  ＳＯＣ（集積回路）
１４  メモリー（記憶部）
３１  サブＣＰＵ（第一コア）
３２  メインＣＰＵ（第二コア）
３４  判定部
３５  検出部
３６  電圧調整部
５１  第一コンパレーター（第一比較器）
５２  第二コンパレーター（第二比較器）
Ｏ１、Ｏ２  出力信号（比較結果）
ＳＴ  状況テーブル（状況情報）
ＳＴ１〜Ｓ３  所定の状況
Ｖ１  第一直流電圧
Ｖ２  第二直流電圧
【図１】
0006350455.tif 000002
【図２】
0006350455.tif 000003
【図３】
0006350455.tif 000004
【図４】
0006350455.tif 000005
【図５】
0006350455.tif 000006
【図６】
0006350455.tif 000007
【図７】
0006350455.tif 000008
【図８】
0006350455.tif 000009
【図９】
0006350455.tif 000010
【図１０】
0006350455.tif 000011
【図１１】
0006350455.tif 000012
【図１２】
0006350455.tif 000013